(57)【要約】【課題】  背圧制御機構を持つスクロール圧縮機であり、かつその背圧制御機構部品を圧入によって構成する場合、圧入歪によって固定スクロールの部品精度が損なわれ、洩れ損失が増大し性能が低下し、また面圧が上昇することによる信頼性低下を引き起こしていた。【解決手段】  背圧ピン４２を圧入する固定スクロール１０に背圧ピン４２よりある距離をおいて円周溝を設けることにより背圧ピン圧入時に生じる圧入歪を吸収、もしくは背圧ピン自身ザグリ、またはスリットなどを設け、圧入による歪を回避できるような加工を施す。【選択図】  図１
2005048685.tif 000002
【特許請求の範囲】
【請求項１】
鏡板に渦巻き状のスクロールラップを直立形成した固定スクロールと、同じく鏡板に渦巻き状のスクロールラップを直立形成した旋回スクロールとを持ち、前記旋回スクロールの前記ラップ部と反対側に圧縮機および圧縮室内部とは圧力的に遮断された背圧室を形成し、前記圧縮室内部の圧力と前記背圧室内部との差圧を利用して前記固定スクロールと前記旋回スクロールの鏡板面を密着させることにより洩れ損失を低減させ、低速低負荷条件であっても高効率を実現するスクロール圧縮機で、前記固定スクロールに前記背圧室内部の圧力を制御するための背圧制御機構を持ち、かつ前期制御機構を形成する背圧ピンが前記固定スクロールに圧入勘合される場合に、それにより生じる圧入歪を低減させるために逃がしを設け、性能および信頼性を向上させることを特徴とするスクロール圧縮機。
【請求項２】
請求項１記載のスクロール圧縮機であって、前記固定スクロールの背面側に前記背圧ピンの周りを取り囲むように外周に窪みを設け、前記背圧制御弁の圧入時に生じる圧入歪を低減させ、性能および信頼性を向上させることを特徴とするスクロール圧縮機。
【請求項３】
請求項１記載のスクロール圧縮機であって、前記固定スクロールの背面側に圧入する前記背圧ピンに圧入時の圧入歪を低減させるようなザグリ加工を施すことにより前記背圧制御弁の圧入時に生じる圧入歪を低減させ、性能および信頼性を向上させることを特徴とするスクロール圧縮機。
【請求項４】
請求項１記載のスクロール圧縮機であって、前記固定スクロールの背面側に圧入する前記背圧ピンに圧入時の圧入歪を低減させるようなスリット加工を施すことにより前記背圧ピンの圧入時に生じる圧入歪を低減させ、性能および信頼性を向上させることを特徴とするスクロール圧縮機。
【発明の詳細な説明】
【技術分野】
【０００１】
本発明は、空気調和機、冷凍機器等に使用される圧縮機であって、固定スクロールの変形を抑制することにより漏れ損失低減や高精度に加工された加工面の組立歪を低減することにより性能および信頼性を向上させることを可能とするスクロール圧縮機に関するものである。
【背景技術】
【０００２】
従来のスクロール圧縮機としては、鏡板に渦巻き状のスクロールラップを直立形成した固定スクロールと旋回スクロールとを噛み合わせて円弧状の圧縮室を形成し、旋回スクロールを固定スクロールに対して自転を拘束した状態で旋回運動させることによって圧縮室を外周側から内周に向かって移動させながら容積を減じることで圧縮動作を行わせるものがある。このスクロール圧縮機は旋回スクロールと固定スクロールとの噛み合わせ部から圧縮ガスが漏洩して効率低下の原因となるという問題点を有しており、従来から様々な対策が提案されている（例えば特許文献１参照）。図８は前記特許文献１に記載された従来の密閉型スクロール圧縮機を示すものである。
【０００３】
図８において１０は固定スクロール、１１は旋回スクロール、３０は固定スクロールに設けられた背圧制御機構であり、背圧室２９がある一定以上の圧力に保たれるように動作することにより、前記固定スクロールと前記旋回スクロール間の隙間を低減させ、洩れ損失を低減させている。
【特許文献１】特開２００２−３１００７６号公報（第２頁〜３頁、図１）
【発明の開示】
【発明が解決しようとする課題】
【０００４】
しかしながら、固定スクロールに形成される背圧制御機構における背圧制御弁は固定スクロールに圧入される構成であり、その圧入時に固定スクロールに歪を生じさせることがある。本来スクロール圧縮機の設計および製造においては固定スクロールと旋回スクロールの摺動面については高精度加工により洩れ隙間が限りなく無いように設計されているが、この問題により固定スクロールの上面側、すなわち旋回スクロール鏡板面と密着する面において隙間が生じてしまい、特に低速低負荷条件において洩れ損失による効率低下が発生する。また固定スクロール上面の変形が大きくうねりを生じている場合、その上面に生じた歪部分と旋回スクロールの鏡板面が摺動することにより圧力の集中が生じ摺動痕等を発生させ、性能を低下させると共に信頼性の面においても問題が生じてしまうことがある。
【０００５】
本発明は、前記従来の課題を解決するもので、本来の高精度加工を損なう事の無い組立を実現し、同時に性能および信頼性を向上させることのできるスクロール圧縮機を提供することを目的とする。
【課題を解決するための手段】
【０００６】
前記従来の課題を解決するために本発明のスクロール圧縮機は、固定スクロールに圧入する背圧制御弁と固定スクロールのどちらかに圧入歪を吸収する部位を設けるものである。
【０００７】
本構成によって、固定スクロールに背圧制御機構を組み付ける際の圧入歪を低減でき、加工時の高精度加工状態を損なうことのない摺動面を得られる。
【発明の効果】
【０００８】
本発明のスクロール圧縮機によれば、背圧制御機構を組み立てる際に生じる固定スクロールの歪を防止し、高精度加工状態を維持したスクロール圧縮機を提供することができる。
【発明を実施するための最良の形態】
【０００９】
以下本発明の実施の形態について、図面を参照しながら説明する。
【００１０】
（実施の形態１）
図１は、本発明の実施の形態におけるスクロール型密閉圧縮機の断面図である。
【００１１】
図１において、１１は旋回スクロール、１０は固定スクロールであり、噛み合わされて圧縮室３２を形成する。は１４冷媒を吸入する吸入孔、１５は圧縮した冷媒を吐出する吐出孔、１２は旋回スクロール１１の自転を拘束するオルダム継ぎ手であり、回転軸６が電動機３により駆動されて回転することにより旋回スクロール１１が旋回運動することによって圧縮を行う。３１が固定スクロール１０に設けられた背圧制御機構を示し、４０の背圧制御弁、４１制御用バネ、４２背圧ピンより成り立っており、旋回スクロール１１の背面に設けられた２９の中間室と連通しており、中間室２９がある一定以上の圧力になると背圧制御弁４０が開き、圧縮室３０と連通させる。これにより中間室２９の圧力を一定に保つのである。
【００１２】
図２は図１における固定スクロール１０を上面から見た形状を示す図である。図２において、固定スクロール１０に背圧ピン４２が圧入されている。また、４３のような円周溝を背圧ピン４２よりある距離をおいて設ける事により、背圧ピン圧入時に生じる圧入歪を吸収し固定スクロール１０の摺動面に歪を及ぼさずに背圧制御機構を組み立てることが可能となり、性能および信頼性の向上を図る事ができる。
【００１３】
（実施の形態２）
図４は図１における固定スクロール１０を上面から見た形状を示す図である。図４において、固定スクロール２に背圧ピン４２が圧入されている。また、背圧ピン４２上面には図５の断面図のザグリ４４を設ける事により、圧入時に生じる圧入歪を吸収し固定スクロール１０の摺動面に歪を及ぼさない背圧制御機構を組み立てることが可能となり、性能および信頼性の向上を図る事ができる。
【００１４】
（実施の形態３）
図６は図１における固定スクロール１０を上面から見た形状を示す図である。図６において、固定スクロール１０に背圧ピン４２が圧入されている。また、背圧ピン４２上面には図７の断面図のスリット４５を設ける事により、圧入時に生じる圧入歪を吸収し固定スクロール１の摺動面に歪を及ぼさない背圧制御機構を組み立てることが可能となり、性能および信頼性の向上を図る事ができる。
【図面の簡単な説明】
【００１５】
【図１】本発明実施の形態１における圧縮機の断面図
【図２】図１における固定スクロール１０を上面から見た形状を示す図
【図３】本発明実施の形態１における背圧制御部４０の断面図
【図４】本発明実施の形態２における固定スクロール１０を上面から見た形状を表す図
【図５】本発明実施の形態２における背圧ピン４２の断面図
【図６】本発明実施の形態３における固定スクロール１０を上面から見た形状を表す図
【図７】本発明実施の形態３における背圧ピン４２の断面図
【図８】従来のスクロール圧縮機を示す断面図
【符号の説明】
【００１６】
３  電動機
６  回転軸
１０  固定スクロール
１１  旋回スクロール
１２  オルダム継ぎ手
１４  吸入孔
１５  吐出孔
２９  中間室
３０  圧縮室
４０  背圧制御弁
４１  制御用バネ
４２  背圧ピン
４３  円周溝
４４  背圧ピン  ザグリ
４５  背圧ピン  スリット
【図１】
2005048685.tif 000003
【図２】
2005048685.tif 000004
【図３】
2005048685.tif 000005
【図４】
2005048685.tif 000006
【図５】
2005048685.tif 000007
【図６】
2005048685.tif 000008
【図７】
2005048685.tif 000009
【図８】
2005048685.tif 000010